(57)【要約】【課題】台間機の奥行きが異なったり、台間機の奥行きが増したりした場合にも、複数の保管庫を必要とせず、設置場所の制約を解消できる台間機の保管庫を提供することを目的とする。【解決手段】保管庫（１）は、保管庫本体（２）における複数の台間機を載置する載置台である下部固定板（５）に、台間機の背面側の下部に当接して背面側の位置を決める位置決め凹部（５ａ）、位置決め用突起部（５ｃ−１，５ｃ−２）と、前後に移動可能で、台間機の前面の下部に当接して当該台間機の移動を規制する可動押さえ部（５ｂ）と、を有している。【選択図】図１３
2018130337.tif 000002
【特許請求の範囲】
【請求項１】
遊技機に並設される台間機の予備を複数台収容する保管庫本体と該保管庫本体の開口を覆う扉部とを備え、前記複数の台間機を管理装置とデータ通信可能に保管する台間機の保管庫であって、
前記保管庫本体における前記複数の台間機を載置する載置台に、
前記台間機の背面側の下部に当接して背面側の位置を決める位置決め部と、
前記開口を前側として前後に移動可能で、前記台間機の前面の下部に当接して当該台間機の移動を規制する可動押さえ部と、
を有することを特徴とする台間機の保管庫。
【請求項２】
ホルダ部に抜き差し自在に装着されるパチンコ台間機を保管可能であり、
前記ホルダ部は、背面側の下部を前記位置決め部に当接させた状態で前面側の下部に前記可動押さえ部が当接することで固定され、
前記パチンコ台間機は、ロック部が係合されることで前記ホルダ部にロックされた状態で保管され、
前記ロックを解除するロック解除機構として、
前記ロック部を下方に変位させてロックを解除する第１解除機構と、
前記ロック部を上方に変位させてロックを解除する第２解除機構と、
を備えることを特徴とする請求項１に記載の台間機の保管庫。
【請求項３】
前記第１解除機構および前記第２解除機構が前記保管庫本体に対して着脱自在であることを特徴とする請求項２に記載の台間機の保管庫。
【請求項４】
前記ロック解除機構は、前記ロック部を変位させるロック解除部材を前記保管庫本体の内部に取り付けるための固定用部品を含み、該固定用部品が前記保管庫本体に対して着脱自在であることを特徴とする請求項３に記載の台間機の保管庫。
【請求項５】
前記扉部に、前記保管庫本体に収容されている全ての台間機の視認を可能にする窓部が形成されていることを特徴とする請求項１〜４の何れか１項に記載の台間機の保管庫。
【発明の詳細な説明】
【技術分野】
【０００１】
本発明は、遊技機に並設される台間機の予備を保管しておく台間機の保管庫に関する。
【背景技術】
【０００２】
近年、パチンコ台やパチスロ台等の遊技機が設置された遊技場において、遊技機に並設される台間機と呼ばれる装置が広く普及している。台間機は、プリペイドカード等の遊技用記録媒体を受け付け、受け付けた遊技用記録媒体の記録情報に基づいてパチンコ球やメダルを貸し出す装置である。台間機には、パチンコ球を貸し出すパチンコ台間機、メダルを貸し出すメダル台間機（パチスロ台間機）があり、パチンコ台間機においてはさらに、機内に紙幣を収納する紙幣収納タイプや紙幣を搬送する紙幣搬送タイプなどがあり、多種類に及ぶ。
【０００３】
遊技場においては、台間機の不具合によって遊技ができなくなることの無いように、設置している各種類の台間機の予備を準備している。予備用の台間機は、専用の保管庫にて保管される。保管庫は、予備用の台間機を遊技場の管理装置とデータ通信可能に保管する。予備用の台間機をこのように保管することで、遊技島に設置されている台間機と同じ情報（不正防止のための情報）を持たせることができ、不正使用を防止するシステムの枠組みの中で、遊技島に設置された台間機との交換が可能となる（特許文献１）。
【０００４】
保管庫は、複数の台間機を収容可能に構成されている。遊技場においては、１台の保管庫に、紙幣収納タイプや紙幣搬送タイプのパチンコ台間機、メダル台間機など、多種類の台間機を収容させている。
【先行技術文献】
【特許文献】
【０００５】
【特許文献１】特開２００２−１８０８３号公報
【特許文献２】特開平８−１４１２０６号公報
【発明の概要】
【発明が解決しようとする課題】
【０００６】
今日、市場ニーズやセキュリティ思想の変化により多種の台間機が派生し続けており、過去には各台計数機能が追加されて、遊技機の前後方向に相当する奥行きが長くなった経緯もある。遊技機の左右方向に相当する幅は、設置スペースの関係上増加することはないが、奥行きは機能の追加によってますます長くなると考えられる。
【０００７】
ところが、従来の保管庫は、台間機の奥行きが異なることに対する工夫はあまりなされておらず、奥行きの異なる保管庫をそれぞれ堅固に固定した状態で保管するためには、ビス止めしたりしている。また、奥行きが長くなった台間機について、ビスによる固定もできない場合は、堅固に固定した状態では保管できないなどの問題が発生する。その場合、遊技場は、奥行きが増した台間機に合った保管庫を別途設置しなければならず、設置場所の制約を受ける。
【０００８】
本発明の一態様は、上記課題に鑑みなされたもので、台間機の奥行きが異なったり、台間機の奥行きが増したりした場合にも、遊技場における設置場所の制約を解消できる台間機の保管庫を提供することを目的とする。
【課題を解決するための手段】
【０００９】
本発明の一態様に係る台間機の保管庫は、上記の課題を解決するために、遊技機に並設される台間機の予備を複数台収容する保管庫本体と該保管庫本体の開口を覆う扉部とを備え、前記複数の台間機を管理装置とデータ通信可能に保管する保管庫であって、前記保管庫本体における前記複数の台間機を載置する載置台に、前記台間機の背面側の下部に当接して背面側の位置を決める位置決め部と、前記開口を前側として前後に移動可能で、前記台間機の前面の下部に当接して当該台間機の移動を規制する可動押さえ部と、を有することを特徴とする。
【００１０】
上記構成によれば、台間機の背面側を位置決め部にて位置決めし、台間機の前面は、前後に移動可能な可動押さえ部にて固定できる。これにより、台間機の奥行きが変わっても固定が可能になると共に、管理装置とのデータ通信を行う部品と背面側の位置関係か一定に保つことができるため、台間機のズレにより管理装置とデータ通信ができない等の恐れがない。
【００１１】
これにより、台間機の奥行きが異なったり、台間機の奥行きが増したりした場合にも、寸法の違いを前面側にて吸収して固定することが可能となり、複数の保管庫を必要とせず、設置場所の制約を解消できる。
【００１２】
本発明の別の一態様に係る台間機の保管庫は、さらに、ホルダ部に抜き差し自在に装着されるパチンコ台間機を保管可能であり、前記ホルダ部は、背面側の下部を前記位置決め部に当接させた状態で前面側の下部に前記可動押さえ部が当接することで固定され、前記パチンコ台間機は、ロック部が係合されることで前記ホルダ部にロックされた状態で保管され、前記ロックを解除するロック解除機構として、前記ロック部を下方に変位させてロックを解除する第１解除機構と、前記ロック部を上方に変位させてロックを解除する第２解除機構とを備える構成である。
【００１３】
上記構成によれば、ロック部を下方に変位させてロックを解除する第１解除機構と、ロック部を上方に変位させてロックを解除する第２解除機構との両方が備えられているので、パチンコ台を開けてロックを解除するパチンコ台間機とパチンコ台を開けずにロックを解除できるパチンコ台間機との両方を混在して収容することができる。
【００１４】
これにより、ロックの解除方法が異なるパチンコ台間機を一部に設置した遊技場においては、さらに、２通りのロック解除方法に合わせて２台の保管庫を設置する必要がなくなり、設置場所の制約をより効果的に解消することができる。
【００１５】
本発明の別の一態様に係る台間機の保管庫は、さらに、前記第１解除機構および前記第２解除機構が前記保管庫本体に対して着脱自在である構成である。
【００１６】
上記構成によれば、収容する台間機の構成と台数に応じて、第１解除機構および第２解除機構を適宜組み付けることが可能となるので、各遊技場における台間機の構成や設置台数比率の違いおよびこれらの変化に簡単に対応させることができる。
【００１７】
本発明の別の一態様に係る台間機の保管庫は、さらに、前記ロック解除機構は、前記ロック部を変位させるロック解除部材を前記保管庫本体の内部に取り付けるための固定用部品を含み、該固定用部品が前記保管庫本体に対して着脱自在である構成である。
【００１８】
上記構成によれば、保管庫本体の内部にロック解除部材を取り付けるための固定用部品が着脱自在であるので、ロック解除部材だけでなく、固定用部品と収容される台間機との干渉をも避けることができ、庫内をより一層有効に利用することができる。
【００１９】
本発明の別の一態様に係る台間機の保管庫は、さらに、前記扉部に、前記保管庫本体に収容されている全ての台間機の視認を可能にする窓部が形成されている構成である。
【００２０】
上記構成によれば、収容されている全ての台間機を窓部より視認できるので、多種の台間機を収容し、それらが正常に動作しているかどうかを、扉部を開けることなく外部から容易に確認することができる。
【発明の効果】
【００２１】
本発明の一態様によれば、台間機の奥行きが異なったり、台間機の奥行きが増したりした場合にも、複数の保管庫を必要とせず、設置場所の制約を解消できるという効果を奏する。
【図面の簡単な説明】
【００２２】
【図１】プリペイドシステムの構成図である。
【図２】ホルダ部から引き出された状態のパチンコ台間機の斜視図である。
【図３】保管庫の外観を示す斜視図である。
【図４】保管庫の扉部が解放された状態を示す斜視図である。
【図５】保管庫における、台間機の収容例を示す斜視図である。
【図６】図５に示した収容例における保管庫の庫内の状態を、保管庫本体の筐体や扉部を除いて示す斜視図である。
【図７】保管庫における、ロック解除レバーを用いたロック解除を説明する断面図である。
【図８】保管庫における、ロック解除ワイヤーを用いたロック解除を説明する断面図である。
【図９】保管庫の上部固定部の構成を示す斜視図である。
【図１０】保管庫における、上部固定部へのロック解除レバーの取り付けを示す分解斜視図である。
【図１１】保管庫における、上部固定部へのロック解除ワイヤーの取り付けを示す分解斜視図である。
【図１２】保管庫における、上部固定部に取り付けられたロック解除ワイヤーの要部を示す斜視図である。
【図１３】保管庫の下部固定板の構成を示す斜視図である。
【図１４】図１３に示す下部固定板に設けられた可動押さえ部の構成を示す断面図である。
【図１５】図１３に示す下部固定板の平面図である。
【図１６】図１３に示す下部固定板の分解斜視図である。
【図１７】保管庫の扉部の構成を示す斜視図である。
【発明を実施するための形態】
【００２３】
以下、本発明の実施の形態について、詳細に説明する。
【００２４】
（プリペイドシステムの構成）
図１は、プリペイドシステム１００の構成図である。図１に示すように、プリペイドシステム１００は、管理装置１０１と、遊技島に設置された複数の台間機Ｄと、予備用の台間機Ｄを保管する保管庫１０２と、プリペイドカード等の遊技用記録媒体の精算・販売を行う精算販売機１０３とを含んでいる。台間機Ｄは遊技島に設置された遊技機であるパチンコ台やスロット第に並設されている。
【００２５】
管理装置１０１から、遊技島に設置された複数の台間機Ｄ、保管庫１０２内の予備用の台間機Ｄ、および精算販売機１０３に対し、「当店当日データ」が送られる。遊技島に設置された複数の台間機Ｄおよび精算販売機１０３は、受け取った「当店当日データ」を用いて、「当店当日データ」を有しない遊技用記録媒体の不正使用を防止する。「当店当日データ」は、保管庫１０２内の予備用の台間機Ｄにも送られ、予備用の各台間機Ｄも「当店当日データ」を有している。これにより、遊技島に設置された台間機Ｄと交換されて遊技島に設置された場合でも、予備用の台間機Ｄは、「当店当日データ」を用いて不正使用を防止できる。
【００２６】
台間機Ｄは、市場のニーズやセキュリティ意識の変化により、機種が追加される。例えば、パチンコ台用のパチンコ台間機では、各台計数機能の追加や、フレーム部とのロック解除を、パチンコ台を開けて行うか開けずに行うかの違い等により、機種が増える、第一世代では３機種であった台間機Ｄの種類が、第二世代では６機種となり、第三世代では９機種となっている。機種数は今後も増え、遊技島の構成により多種の台間機Ｄが設置される遊技場においては、保管庫１０２に対し、多種類の台間機Ｄを収容可能な機能が求められる。
【００２７】
本実施の形態に保管庫１は、このような要求に応えるもので、従来の保管庫１０２では対応できなかった、台間機Ｄの奥行きが今後さらに増した（長くなった）場合にも、確実に庫内で固定した状態で保管できるものである。
【００２８】
また、併せて、本実施の形態の保管庫１は、パチンコ台間機におけるロックの解除方法が異なる機種の混在収容をも可能であり、以下の別の問題をも解決するものである。ここで、本実施の形態の保管庫１が解決する別の問題について説明しておく。
【００２９】
メダル台間機は、庫内に設けられた位置決め部に背面側の下部を当接させて保管される。一方、パチンコ台間機は、庫内に固定されたホルダ部に装着され、ロック部が係合されることでホルダ部にロックされた状態で保管される。遊技島に設置したパチンコ台間機に不具合が発生した場合、遊技島に固定されたホルダ部からパチンコ台間機のロックを解除して抜き出し、保管庫内の予備用のパチンコ台間機と交換する。
【００３０】
パチンコ台間機におけるロックの解除方法には、パチンコ台を開けて解除する方法と、パチンコ台を開けることなく解除する方法とがある。ロックレバー等のロック部を解除時に押し下げるタイプは、パチンコ台を開けての解除となる。一方、ロック部を解除時に引き上げるタイプのロック機構は、ロック部に取り付けたワイヤーを引っ張ることで、パチンコ台を開けることなく解除できる（特許文献２）。従来の保管庫にも、このようなロックの解除方法に合わせたロック解除機構が設けられている。
【００３１】
遊技場においては、パチンコ台間機を設置するにあたり、通常はロックの解除方法が同じものを統一して設置している。しかしながら、セキュリティ上の必要性から、ロックの解除方法の異なるパチンコ台間機を一部に設置する場合がある。例えば、プリペイドカードの精算販売機の近くなど、遊技島の内部を遊技者に視認させたくない場所だけに、パチンコ台を開けることなく解除できるパチンコ台間機を設置するといった場合である。
【００３２】
ところが、従来の保管庫は、ロック解除機構が上述の２通りのロック解除方法の何れかにしか対応していない。そのため、紙幣収納タイプや紙幣搬送タイプのパチンコ台間機、およびメダル台間機などを混在して収容することはできても、ロックの解除方法が異なるパチンコ台間機を混在して収容することはできなかった。
【００３３】
したがって、ロックの解除方法が異なるパチンコ台間機を一部に設置した場合、遊技場は、２通りのロック解除方法に合わせて２台の保管庫を設置する必要があり、これによっても、設置場所の制約を受けるといった問題があった。
【００３４】
以下、パチンコ台用とパチスロ台用とで台間機を区別する必要があり両者各々に対して専用とする場合に、パチンコ台用の台間機を「パチンコ台間機（参照符号Ｄｐ）」と称し、パチスロ台用の台間機を「メダル台間機（参照符号Ｄｍ）」と称する。両者を区別する必要が無く共用の場合は、「台間機（参照符号Ｄ）」と総称する。
【００３５】
図２は、ホルダ部５０から引き出された状態のパチンコ台間機Ｄｐの斜視図である。図２に示すように、パチンコ台間機Ｄｐは、ホルダ部５０に対して前方（正面）から抜き差し自在に装着される。
【００３６】
パチンコ台間機Ｄｐは、本体部５５にビルバリ、制御基板、通信機器等が組み込まれてユニット化されている。ホルダ部５０は、上下方向に延びる縦フレーム５１と、該縦フレーム５１の上下の端から前方に水平に延びている上側ガイド枠５２および下側ガイド枠５３とを備え、これら上下のガイド枠５２、５３によってパチンコ台間機Ｄｐの抜き差しをガイドする。
【００３７】
ホルダ部５０にはロック機構５７が設けられており、パチンコ台間機Ｄｐは、背面側においてホルダ部５０にロックされる。パチンコ台間機Ｄｐは、ホルダ部５０に差し込まれると、ロック機構５７によってホルダ部５０に自動的に係合され、ロックされる。具体的には、ホルダ部５０に設けられたロック部であるロックレバー５８の係合部５８ａが、パチンコ台間機Ｄｐの本体部５５に設けられた係合穴５５ａに係合することでロックされる。
【００３８】
図２の例は、ロックレバー５８の係合部５８ａが下を向いている。このようなロック機構５７では、ロックレバー５８を上方に変位させることで、係合部５８ａと係合穴５５ａとの係合が解除される。したがって、ロックレバー５８にワイヤー等の引っ張る部材を取り付けることで、パチンコ台を開けることなくロックを解除することができる。
【００３９】
一方、図示してはいないが、ロックレバー５８の係合部５８ａが上を向いているロック機構もある。この場合は、ロックレバー５８を下方へ変位させることで、係合部５８ａと係合穴５５ａとの係合が解除される。したがって、この場合は、パチンコ台を開けてロックレバー５８を直接操作してロックを解除する。
【００４０】
以下、パチンコ台を開けずにロックを解除可能なパチンコ台間機Ｄｐをワイヤー式と称し、パチンコ台を開けてロックを解除するパチンコ台間機Ｄｐをレバー式と称する。
【００４１】
図３は、本実施の形態の保管庫１の外観を示す斜視図である。図３に示すように、保管庫１は、複数の台間機Ｄを収容する保管庫本体２と保管庫本体２の開口を覆う扉部３とを備える。
【００４２】
図４は、保管庫１の扉部３が解放された状態を示す斜視図である。図４に示すように、の庫内には、下部に、台間機Ｄに電源を供給する電源部４と台間機Ｄと管理装置１０１との通信を中継するＨＵＢ１８が配設されている。また、電源部４とＨＵＢ１８の上には、台間機Ｄが載置される載置面であり、載置された台間機の下部を固定する下部固定部である下部固定板５が設けられている。詳細については後述するが、下部固定板５には、台間機Ｄの背面側の下部に当接して背面側の位置を決める位置決め部としての、位置決め用凹部５ａおよび位置決め用突起部５ｃ−１，５ｃ−２と、前後に移動可能で、台間機Ｄの前面の下部に当接して当該台間機の移動を規制する可動押さえ部５ｂとを有している。
【００４３】
また、保管庫本体２の庫内には、台間機Ｄの上部を固定する上部固定板２０を含む上部固定ユニット１７が配設されている。上部固定ユニット１７は、庫内上部から庫内の奥壁側を覆うもので、側方より見てＬ字型の形状を有する。
【００４４】
上部固定ユニット１７には、収容されたパチンコ台間機Ｄｐのロックを解除するロック解除機構である、後述するロック解除レバー（第１解除機構、ロック解除部材）６およびロック解除ワイヤー（第２解除機構、ロック解除部材）７が取り付けられる。そして、上部固定板２０の上方に、これらの各操作部６ａ，７ａが配設される。
【００４５】
本実施の形態の保管庫１において、ロック解除レバー６およびロック解除ワイヤー７は取り外し可能（着脱自在）に構成されている。保管庫１に収容すべき台間機Ｄの機種と台数が決まると、そのうちのロック解除機構が必要なパチンコ台間機Ｄｐにおけるそれぞれのロックの解除方法に合わせてロック解除レバー６あるいはロック解除ワイヤー７が、上部固定ユニット１７における必要な位置に取り付けられる。図４の例では、解除操作部６ａが１つ、解除操作部７ａが６つ配設されている。つまり、ワイヤー式のパチンコ台間機Ｄｐを６台、レバー式のパチンコ台間機Ｄｐを１台収容する仕様である。
【００４６】
上部固定ユニット１７における庫内の奥壁側には、台間機Ｄと管理装置１０１（図１参照）を接続する接続ケーブル１９が配設され、ロック解除レバー６の押下部６ｂ（図６参照）や、ロック解除ワイヤー７の接続部７ｂが位置している。
【００４７】
図５は、保管庫１における、台間機Ｄの収容例を示す斜視図である。図６は、図５に示した収容例における保管庫１の庫内の状態を、保管庫本体２の筐体や扉部３を除いて示す斜視図である。図５、図６の例では、向かって右側の端からメダル台間機Ｄｍが２台収容され、その横に、紙幣搬送タイプのパチンコ台間機Ｄｐ１および紙幣収納タイプの各パチンコ台間機Ｄｐ２が順に１台ずつ収容されている。また、左側の端には、レバー式のパチンコ台間機Ｄｐ３が収容されるようになっている。
【００４８】
図５、図６に示すように、メダル台間機Ｄｍは、図示してはいないがロック機構を正面側に備えている。そのため、上部固定ユニット１７におけるメダル台間機Ｄｍの収容位置に対応する位置には、ロック解除レバー６もロック解除ワイヤー７も設置されておらず、解除操作部６ａ，７ａの何れも配置されていない。
【００４９】
また、メダル台間機Ｄｍは、パチンコ台間機Ｄｐ１、Ｄｐ２よりも幅（左右方向の寸法）が太く、奥行き（前後方向の寸法）も長い。奥行きが長い分、パチンコ台間機Ｄｐ１、Ｄｐ２よりも前面側が扉部３側に突出しているが、可動押さえ部５ｂにて前面側の下部が押さえられている。
【００５０】
一方、パチンコ台間機Ｄｐ１、Ｄｐ２は何れもワイヤー式であるため、上部固定ユニット１７におけるこれらの収容位置に対応する位置にはそれぞれ、ロック解除ワイヤー７が取り付けられており、解除操作部７ａが配置されている。また、メダル台間機Ｄｍよりも奥行きが浅い分奥まった位置に設置されているが、可動押さえ部５ｂにて前面側の下部が押さえられている。
【００５１】
向かって左側の端には、レバー式のパチンコ台間機Ｄｐ３が収容される。図６では、パチンコ台間機Ｄｐ３が装着されるホルダ部５０は設置されているが、パチンコ台間機Ｄｐ３は未装着である。上部固定ユニット１７におけるパチンコ台間機Ｄｐ３の収容位置に対応する位置には、ロック解除レバー６が取り付けられ、解除操作部６ａが配置されている。ホルダ部５０の背面には、押下部６ｂが位置している。これにおいても、メダル台間機Ｄｍよりも奥行きが浅い分奥まった位置に設置されているが、可動押さえ部５ｂにて前面側の下部、より詳細には、ホルダ部５０の下側ガイド枠５３の前面側が押さえられている。
【００５２】
図７は、保管庫１における、ロック解除レバー６を用いたロック解除を説明する断面図である。（ａ）はロック解除レバー６を押し下げる前の状態、（ｂ）ロック解除レバー６を押し下げた後の状態を示す。（ａ）（ｂ）においては、破線で囲った部分の拡大図を併せて示す。
【００５３】
図７の（ａ）に示すように、レバー式のパチンコ台間機Ｄｐの場合、ロック機構５７のロックレバー５８の上方に、ロック解除レバー６の押下部６ｂが位置している。押下部６ｂは、解除操作部６ａの押し下げ操作に連動して下方に移動する。ロック状態においては、ロックレバー５８の係合部５８ａがパチンコ台間機Ｄｐの係合穴５５ａに係合している。この状態から、図７の（ｂ）に示すように、解除操作部６ａを押し下げると、押下部６ｂが降下し、ロックレバー５８を押し下げる。これにより、係合部５８ａと係合穴５５ａとの係合が解除され、パチンコ台間機Ｄｐのロックが解除される。
【００５４】
図８は、保管庫１における、ロック解除ワイヤー７を用いたロック解除を説明する断面図である。（ａ）はロック解除ワイヤー７を引っ張る前の状態、（ｂ）ロック解除ワイヤー７を引っ張った後の状態を示す。（ａ）（ｂ）においては、破線で囲った部分の拡大図を併せて示す。
【００５５】
図８の（ａ）に示すように、ワイヤー式のパチンコ台間機Ｄｐの場合、ロック機構５７のロックレバー５８に、ロック解除ワイヤー７の接続部７ｂが接続されている。ロック状態においては、ロックレバー５８の係合部５８ａがパチンコ台間機Ｄｐの係合穴５５ａに係合している。この状態から、図８の（ｂ）に示すように、解除操作部７ａを手前に引っ張ると、他端側の接続部７ｂが上昇し、ロックレバー５８を引き上げる。これにより、係合部５８ａと係合穴５５ａとの係合が解除され、パチンコ台間機Ｄｐのロックが解除される。
【００５６】
図９は、保管庫１の上部固定ユニット１７の構成を示す斜視図である。図９に示すように、上部固定ユニット１７は、上部固定板２０と上部フレーム板２１と後部フレーム板２２とを有している。上部固定板２０には、台間機Ｄを固定するための固定穴２０ａが形成されている。この固定穴２０ａに、台間機Ｄの上面に形成された突起が嵌合することで、台間機Ｄが上部固定板２０に固定される。パチンコ台間機Ｄｐの場合は、ホルダ部５０の上面に突起が形成されており、ホルダ部５０の上面が上部固定板２０に固定される。
【００５７】
上部フレーム板２１は、上部固定板２０の上方に間隔を開けて配置され、前面側の縁に、ワイヤー固定部３０が設けられている。ワイヤー固定部３０は、ロック解除ワイヤー７のワイヤーブラケット７ｃ（図１２参照）を取り付けるための部材である。ワイヤー固定部３０は、上部フレーム板２１の縁に沿って、最大収容数に相当する７台分設けられている。
【００５８】
後部フレーム板２２は、庫内の奥壁を覆うように配設され、中段にレバー固定ブラケット３６を固定するためのボス３５が設けられている。レバー固定ブラケット３６は、ロック解除レバー６を取り付けるための部材であり、ロック解除レバー６の支持体６ｃが取り付けられる。ワイヤー固定部３０と同様に、ボス３５も、水平方向に沿って最大収容数に相当する７台分設けられている。なお、図９の例では、向かって左側の端にロック解除レバー６が取り付けられ、その隣にロック解除ワイヤー７が２組取り付けられている。
【００５９】
図１０は、保管庫１における、上部固定ユニット１７へのロック解除レバー６の取り付けを示す分解斜視図である。ロック解除レバー６は、逆さ「Ｌ字」形状をなし、Ｌ字の短手の辺を上部フレーム板２１の裏面に沿わせ、長手の辺を後部フレーム板２２に沿わせて配設される。ロック解除レバー６を取り付けるにあたり、先ずは、後部フレーム板２２における対応する位置のボス３５にレバー固定ブラケット（固定用部品）３６を取り付ける。そして、取り付けたレバー固定ブラケット３６に、ロック解除レバー６の長手の辺にある支持体６ｃを取り付ける。ロック解除レバー６において、端部に押下部６ｂを有するレバー本体部は、支持体６ｃに対して上下方向に摺動自在である。ロック解除レバー６の摺動位置は、解除の対象のレバー式のパチンコ台間機Ｄｐにおけるロックレバー５８の上下移動に合うように調整される。
【００６０】
図１１は、保管庫１における、上部固定ユニット１７へのロック解除ワイヤー７の取り付けを示す分解斜視図である。図１２は、保管庫１における、上部固定ユニット１７に取り付けられたロック解除ワイヤー７の要部を示す斜視図であり、破線で囲った部分の拡大図を併せて示す。
【００６１】
図１１に示すように、ロック解除ワイヤー７におけるワイヤー本体７ｄは、「了の字」形状に湾曲されており、湾曲部の上辺を上部フレーム板２１の裏面に沿わせて配設される。湾曲部の下辺から垂下する直線部の先端部の接続部７ｂに、ワイヤー式のパチンコ台間機Ｄｐのロックレバー５８が接続される。ロック解除ワイヤー７における解除操作部７ａ側にはワイヤーブラケット７ｃが設けられている。ワイヤー本体７ｄのワイヤーブラケット７ｃより引き出されて先端部は輪状に形成されており、これが解除操作部７ａに相当する。
【００６２】
図１２に示すように、接続部７ｂをパチンコ台間機Ｄｐ側のロックレバー５８に接続した後、ワイヤーブラケット７ｃを対応する位置のワイヤー固定部（固定用部品）３０にビス３１等で固定する。ロック解除ワイヤー７は、湾曲部を有して庫内奥側にて撓んでいるため、この撓みにて、機種により異なるロックレバー５８の高さ位置の違いを吸収することができる。
【００６３】
このように、ロック解除レバー６およびロック解除ワイヤー７を着脱自在に構成することで、収容する台間機Ｄの構成と台数に応じて、ロック解除レバー６およびロック解除ワイヤー７を適宜組み付けることが可能となり、各遊技場における台間機Ｄの構成や設置台数比率の違いおよびこれらの変化に簡単に対応させることができる。
【００６４】
特に、ロックレバー５８を変位させるロック解除部材であるロック解除レバー６を保管庫本体２の内部に取り付けるための固定用部品であるレバー固定ブラケット３６を保管庫本体２に対して着脱自在としている。このように、ロック解除レバー６だけでなく、これを固定するためのレバー固定ブラケット３６までも取り外せる構成とすることで、レバー固定ブラケット３６と収容される台間機Ｄとの干渉をも避けることができ、庫内をより一層有効に利用することができる。
【００６５】
なお、ロック解除ワイヤー７を保管庫本体２の内部に取り付けるための固定用部品が台間機Ｄと干渉する位置に設けられる場合は、当該固定用部品も着脱自在とすることで、同様の効果を得ることができる。
【００６６】
図１３は、保管庫１の下部固定板５の構成を示す斜視図である。図１４は、図１３に示す下部固定板５に設けられた可動押さえ部５ｂの構成を示す断面図である。図１５は、図１３に示す下部固定板５の平面図である。図１５において、２点鎖線は、メダル台間機Ｄｍの設置領域を示している。
【００６７】
図１３〜図１５に示すように、下部固定板５には、位置決め用凹部５ａ、位置決め用突起部５ｃ−１，５ｃ−２、および可動押さえ部５ｂを有している。このうち、位置決め用凹部５ａ、位置決め用突起部５ｃ−１，５ｃ−２が、台間機Ｄの背面側の下部に当接して背面側の位置を決める位置決め部である。
【００６８】
位置決め用凹部５ａは、下部固定板５における台間機Ｄの載置面に形成されている。位置決め用凹部５ａの形状は、ホルダ部５５に装着された状態のパチンコ台間機Ｄｐの底面の外形形状に合わせて形成されており、パチンコ台間機Ｄｐの奥行きのサイズ変更を吸収できるように、前面側が開放されている。パチンコ台間機Ｄｐの場合は、ホルダ部５５の背面および両側面の下部が位置決め用凹部５ａに当接する。パチンコ台間機Ｄｐの幅は、機種が異なっても略同じに設計されているため、パチンコ台間機Ｄｐであれば機種に関わらず位置決め用凹部５ａを利用できる。パチンコ台間機Ｄｐを庫内に位置決めする際、パチンコ台間機Ｄｐをホルダ部５５に装着した状態で位置決め用凹部５ａに嵌め込み、ホルダ部５５の背面が位置決め用凹部５ａの後端に確実に当たるまで押し込む。これにより、パチンコ台間機Ｄｐが装着されるホルダ部５５を固定位置に確実に案内することができる。このような位置決め用凹部５ａは、パチンコ台間機Ｄｐの最大収容数に相当する７台分設けられている。
【００６９】
位置決め用突起部５ｃ−１，５ｃ−２は、メダル台間機Ｄｍの背面側を位置決めするための突起部である。位置決め用突起部５ｃ−１は、メダル台間機Ｄｍの背面側の下部と突き当たることで、メダル台間機Ｄｍの前後方向の位置を決定する。位置決め用突起部５ｃ−２は、メダル台間機Ｄｍの背面側の下部側面と突き当たることで、メダル台間機Ｄｍの左右方向の位置を決定する。メダル台間機Ｄｍを収容する際、メダル台間機Ｄｍの向かって右奥の角が、位置決め用突起部５ｃ−１、５ｃ−２に確実に当たるように押し込む。これにより、メダル台間機Ｄｍを固定位置に確実に案内することができる。このような位置決め用突起部５ｃ−１、５ｃ−２は、メダル台間機Ｄｍの最大収容数に相当する３台分設けられている。
【００７０】
可動押さえ部５ｂは、前後に移動可能であり、位置決め用凹部５ａあるいは位置決め用突起部５ｃ−１，５ｃ−２にて背面側の位置決めがなされ台間機Ｄの前面側の下部に当接して当該台間機Ｄの移動を規制する。パチンコ台間機Ｄｐの場合は、ホルダ部５５の前面側の端面に当接してホルダ部５５を押さえる。可動押さえ部５ｂが台間機Ｄに当接する高さは、ホルダ部５５に対するパチンコ台間機Ｄｐの抜き差しに支障のない高さである。可動押さえ部５ｂは、着脱自在であり、パチンコ台間機Ｄｐの最大収容数に相当する７台分設けられている。
【００７１】
図１４に示すように、可動押さえ部５ｂは、Ｌ字型の部材である固定押さえ５ｂ−１と、スクリュー部５ｂ−３、回転操作部５ｂ−２とを備えている。回転操作部５ｂ−２を回転させることでスクリュー部５ｂ−３が回転し、固定押さえ５ｂ−１を下部固定板５に対して前後に移動させて台間機Ｄを前面側から押さえるようになっている。なお、図１４に示すスクリュー部５ｂ−３を用いた可動押さえ部５ｂの構成は一例に過ぎず、前後に移動可能であり、台間機Ｄの前面側の下部に当接して当該台間機Ｄの移動を規制できる構成であればよい。
【００７２】
ロック解除レバー６を用いてパチンコ台間機Ｄｐのロックの解除を行うには、ロック解除レバー６の押下部６ｂの下方にパチンコ台間機Ｄｐのロックレバー５８を確実に位置させる必要がある。このように、位置決め用凹部５ａと可動押さえ部５ｂとでパチンコ台間機Ｄｐの下部を固定する構成では、たとえパチンコ台間機Ｄｐの奥行きが変わっても、奥行きの変化を吸収して、パチンコ台間機Ｄｐを固定位置に確実にかつ堅固に固定することができる。これにより、台間機Ｄの奥行きが変わっても台間機Ｄの背面側に位置する接続ケーブル１９やロック解除レバー６の押下部６ｂとの位置を一定に保つことが可能となり、ロック解除および管理装置１０１との通信を確実に行うことができる。
【００７３】
また、パチンコ台間機Ｄｐの背面側の位置決めには、凹部からなる位置決め用凹部５ａを設けているので、位置決め用凹部５ａがメダル台間機Ｄｍを設置する際にメダル台間機Ｄｍの底部と干渉することがない。さらに、メダル台間機Ｄｍの位置決めには、角当接の位置決め用突起部５ｃ−１、５ｃ−２を位置決め用凹部５ａより背面側に設けているので、位置決め用突起部５ｃ−１、５ｃ−２が、パチンコ台間機Ｄｐを設置する際にパチンコ台間機Ｄｍの底部と干渉することもない。
【００７４】
図１６は、下部固定板５の分解斜視図である。図１６に示すように、本実施の形態の保管庫１においては、下部固定板５が、固定板本体１３と該固定板本体１３上に積層して配設される位置決め板１４とを備える。位置決め板１４に位置決め用凹部５ａに相当する切欠きが形成されている。位置決め用突起部５ｃ−１は、固定板本体１３に曲げ起こしを設けて構成し、位置決め用突起部５ｃ−２は、位置決め板１４に曲げ起こしを設けて構成している。
【００７５】
固定押さえ５ｂ−１は、固定板本体１３に形成した角穴部１３ａに固定押さえ５ｂ−１の曲げ部５ｂ−１１を入れ、固定押さえの曲げ部５ｂ−１１にスクリュー部５ｂ−３を挿入して、前面から回転操作部５ｂ−２を圧入により固定している。回転操作部５ｂ−２を回転操作するとスクリュー部５ｂ−３が回転し、固定板本体１３に設けられた雌ネジ部と当接してスクリュー部５ｂ−３が前後する。スクリュー部５ｂ−３が前後すると、スクリュー部５ｂ−３の端平坦部と回転操作部５ｂ−２により固定された固定押さえ５ｂ−１が前後に移動する。固定押さえ５ｂ−１における台間機Ｄと当接する前端部５ｂ−１２は、リブ状に肉厚に形成されている。これにより、台間機Ｄの前面側の下部との当接をより確実なものできる。
【００７６】
また、下部固定板５を上下に積層させた２枚板構成とすることで、位置決め用突起部５ｃ−１，５ｃ−２を、曲げ起こしを設けて構成しても、庫内の下部の電源部４が設置されている空間と台間機Ｄが収容される空間とを繋ぐ穴部を塞ぐことができる。これにより、１部品で下部固定板５を構成した場合よりも安全性を高めることができる。
【００７７】
図１７は、保管庫１の扉部３の構成を示す斜視図である。保管庫１の扉部３には、保管庫本体２に収容されている全ての台間機Ｄの視認を可能にする窓部１６が形成されている。これにより、多種の台間機Ｄを収容し、かつプリペイドシステム１００における予備用の台間機Ｄとして正常に動作しているかどうかを、扉部３を開けることなく外部から容易に確認することができる。
【００７８】
以上のように、本実施の形態の保管庫１は、保管庫本体における複数の台間機を載置する載置台である下部固定板５に、台間機Ｄの背面側の下部に当接して背面側の位置を決める位置決め用凹部５ａ、位置決め用突起部５ｃ−１，５ｃ−２と、台間機Ｄの前後方向に移動可能で、台間機Ｄの前面の下部に当接して当該台間機Ｄの移動を規制する可動押さえ部５ｂと、を有している。
【００７９】
これにより、台間機Ｄの奥行きが変わっても固定が可能になると共に、台間機Ｄの背面の接続ケーブル１９の位置やロック解除位置を一定に保つことができ、台間機Ｄのズレによるロック解除レバー６での解除が行われない等の恐れがない。
【００８０】
それゆえ、台間機の奥行きが増したり変更が成されたりした場合であっても、その変更を前面側にて吸収して固定することが可能となり、複数の保管庫を必要とせず、保管庫の設置場所の制約を解消できる。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８２】
１  保管庫
２  保管庫本体
３  扉部
４  電源部
５  下部固定板
５ａ  位置決め用凹部（位置決め部）
５ｂ  可動押さえ部
５ｃ−１位置決め用突起部（位置決め部）
５ｃ−２  位置決め用突起部（位置決め部）
６  ロック解除レバー（第１解除機構、ロック解除部材）
６ｂ  押下部
６ｃ  支持体
７  ロック解除ワイヤー（第２解除機構、ロック解除部材）
７ｂ  接続部
７ｃ  ワイヤーブラケット
７ｄ  ワイヤー本体
１３  固定板本体
１４  位置決め板
１６  窓部
１７  上部固定ユニット
１８  ＨＵＢ
１９  接続ケーブル
２０  上部固定板
２１  上部フレーム板
２２  後部フレーム板
３０  ワイヤー固定部
３１  ビス
３５  ボス
３６  レバー固定ブラケット（固定用部品）
５０  ホルダ部
５１  縦フレーム
５２  上側ガイド枠
５３  下側ガイド枠
５５  本体部
５５ａ  係合穴
５７  ロック機構
５８  ロックレバー（ロック部）
５８ａ  係合部
１００  プリペイドシステム
１０１  管理装置
１０３  精算販売機
Ｄ  台間機
Ｄｍ  メダル台間機（パチスロ台間機）
Ｄｐ  パチンコ台間機
【図１】
2018130337.tif 000003
【図２】
2018130337.tif 000004
【図３】
2018130337.tif 000005
【図４】
2018130337.tif 000006
【図５】
2018130337.tif 000007
【図６】
2018130337.tif 000008
【図７】
2018130337.tif 000009
【図８】
2018130337.tif 000010
【図９】
2018130337.tif 000011
【図１０】
2018130337.tif 000012
【図１１】
2018130337.tif 000013
【図１２】
2018130337.tif 000014
【図１３】
2018130337.tif 000015
【図１４】
2018130337.tif 000016
【図１５】
2018130337.tif 000017
【図１６】
2018130337.tif 000018
【図１７】
2018130337.tif 000019